(57)【要約】 【課題】血行不良を抑制しながら足のアーチを回復させ、足の正常な機能を回復させることのできる靱帯補強靴下を提供する。【解決手段】靴下本体３の、横中足靱帯の足裏側に対応する部分６と、足根骨７の足背側に対応する部分８に、足の幅方向で見た引張抵抗力が他の部分よりも強い弾性伸縮部９，１０を配置する。足背側の弾性伸縮部９の両端部分は、足の内外の側部分の内の略下半分を覆うように延長されると共に、足背側の弾性伸縮部１０の両端部分は、足の内外の側部分の略上半分を覆うように延長されている。【選択図】  図２
2005312512.tif 000002
【特許請求の範囲】
【請求項１】
足の一部又は全部を覆う靴下本体の、第１中足骨、第２中足骨、第３中足骨、第４中足骨及び第５中足骨の足裏側に対応する部分の内の少なくとも横中足靱帯の足裏側に対応する部分と、足根骨の足背側に対応する部分に、夫々、足の幅方向で見た引張抵抗力が他の部分より強い弾性伸縮部を配置したことを特徴とする靱帯補強靴下。
【請求項２】
足の一部又は全部を覆う靴下本体の、第１中足骨、第２中足骨、第３中足骨、第４中足骨及び第５中足骨の足裏側に対応する部分の内の少なくとも横中足靱帯の足裏側に対応する部分と、足根骨の内の少なくとも立方骨、楔状骨、舟状骨の足背側に対応する部分に、夫々、足の幅方向で見た引張抵抗力が他の部分より強い弾性伸縮部を配置したことを特徴とする靱帯補強靴下。
【請求項３】
足裏側に配置される前記弾性伸縮部の両端部分が、足の内外の側部分の少なくとも下半分を覆うように延長され、且つ、足背側に配置される前記弾性伸縮部の両端部分が、足の内外の側部分の少なくとも上半分を覆うように延長されていることを特徴とする請求項１又は２記載の靱帯補強靴下。
【請求項４】
足裏側に配置される前記弾性伸縮部の両端部分が、足の内外の側部分の全体を覆うように延長され、且つ、足背側に配置される前記弾性伸縮部の両端部分が、足の内外の側部分の全体を覆うように延長されていることを特徴とする請求項１又は２記載の靱帯補強靴下。
【請求項５】
前記靴下本体の足先部は、足指の一部の指を他の指と独立させて嵌入させる袋部を有することを特徴とする請求項１又は２記載の靱帯補強靴下。
【発明の詳細な説明】
【技術分野】
【０００１】
本発明は、足に装着されることにより足の靱帯の機能を補強する靱帯補強靴下に関するものである。更に詳しくは、足に装着されることにより、足の血行不良を抑制しながら横中足靱帯及び足根骨の足背側靱帯群の緩みを抑制し、型崩れした足のアーチを回復させて足の正常な機能回復を図ることに寄与する靱帯補強靴下に関するものである。
【背景技術】
【０００２】
足の横アーチ及び縦アーチは、足が正常な機能を果たして身体のバランスを保ち、又、地面からの衝撃を緩和する上で不可欠のものであるが、近年、足のアーチが崩れたり消失した人が増えている。
【０００３】
その原因の一つは、フィットさせないで履く靴の履き方にあると言われている。フィットさせないで履く靴は足にしっかりと固定されないために、歩行の際に足指を上げて突っ掛ける癖をつけ易く、足指の踏み締めが不十分となって足指に力が入りにくくなる。その結果、足指の付け根の関節の機能低下を招くと共に横アーチを形成している横中足靱帯に無理が掛かってこれが緩み、外反母趾や内反小指を生じさせる事態に陥る。これが更に進行すると、足根骨の足背側の靱帯も緩んで慢性捻挫状態をつくり、ひいては、足根骨が下がって足の縦アーチの崩れを招き扁平足を生じさせる。このように靱帯の緩みによって横アーチや縦アーチが崩れると足指の蹴りだし力が低下し、身体のバランス（重心）が不安定化するため、不必要な筋肉の緊張を強いられて身体が硬くなる。その結果、血行不良や神経の圧迫が生じ、足痛、膝痛、股関節痛、腰痛、腹部痛、背部痛、肩こり、頭痛等の全身の痛みを生じさせることとになる。
【０００４】
このような事情に鑑み、崩れた足のアーチを回復させて足の正常な機能を回復させんとして、例えば特開２００３−１９０１９８号公報や特開２００１−２９３７４号公報が開示する矯正用靴下が提案されている。これらの矯正用靴下に共通する構成は、足を周方向に締め付けるリング状弾性伸縮部を、足に装着される靴下本体に設ける点にあった。
【０００５】
かかる矯正用靴下によるときは、足の幅方向に縮もうとする締め付け力によって、足の横中足靱帯や足根骨の足背側靱帯群を補強する機能が発揮され、足のアーチを回復させて足の正常な機能を回復させることができる点で、一定の効果を挙げることができた。しかしながら前記従来の矯正用靴下によるときは、前記リング状弾性伸縮部が足の周方向全体に対して締め付け力を作用させるために、足の血行不良を招いて冷え性やしもやけ等の症状を生じさせる恐れがあった。
【特許文献１】特開２００３−１９０１９８号公報（第４−５頁、図１−５）
【特許文献１】特開２００１−２９３７４号公報（第３−４頁、図４−５）
【発明の開示】
【発明が解決しようとする課題】
【０００６】
本発明は、前記従来の矯正用靴下の問題点に鑑みて開発されたものであり、血行不良を抑制しながら、足の横中足靱帯及び足根骨の足背側靱帯群を補強する機能を発揮して足のアーチを回復させ足の正常な機能を回復させることのできる靱帯補強靴下の提供を課題とするものである
【課題を解決するための手段】
【０００７】
前記課題を解決するため、本発明は以下の手段を採用する。
即ち本発明に係る靱帯補強靴下は、足の一部又は全部を被う靴下本体の、第１中足骨、第２中足骨、第３中足骨、第４中足骨及び第５中足骨の足裏側に対応する部分の内の少なくとも横中足靱帯部の足裏側に対応する部分と、足根骨の足背側に対応する部分に、夫々、足の幅方向で見た引張抵抗力が他の部分より強い弾性伸縮部を配置したことを特徴とするものである。
【０００８】
又本発明に係る靱帯補強靴下のより具体的な態様は、足の一部又は全部を被う靴下本体の、第１中足骨、第２中足骨、第３中足骨、第４中足骨及び第５中足骨の足裏側に対応する部分の内の少なくとも横中足靱帯部の足裏側に対応する部分と、足根骨の内の少なくとも立方骨、楔状骨、舟状骨の足背側に対応する部分に、夫々、足の幅方向で見た引張抵抗力が他の部分より強い弾性伸縮部を配置したことを特徴とするものである。
【０００９】
前記した各靱帯補強靴下において、足裏側に配置される前記弾性伸縮部の両端部分を、足の内外の側部分の少なくとも下半分を覆うように延長し、且つ、足背側に配置される前記弾性伸縮部の両端部分を、足の内外の側部分の少なくとも上半分を覆うように延長するのがよい。
【００１０】
又前記した各靱帯補強靴下において、足裏側に配置される前記弾性伸縮部の両端部分を、足の内外の側部分の全体を覆うように延長し、且つ、足背側に配置される前記弾性伸縮部の両端部分を、足の内外の側部分の全体を覆うように延長することもある。
【００１１】
又前記した各靱帯補強靴下において、前記靴下本体の足先部は、足指の一部の指を他の指と独立させて嵌入させる袋部を有する如く構成するのがよい。
【発明の効果】
【００１２】
本発明に係る靱帯補強靴下は、靴下本体の、横中足靱帯の足裏側に対応する部分と、足根骨の足背側に対応する部分に、足の幅方向で見た引張抵抗力が他の部分より強い弾性伸縮部を配置した構成を採用している。
【００１３】
かかることから本発明によるときは、崩れたり消失した横アーチや縦アーチを略正常状態に回復させることができる。これにより、機能低下を起こした足指の活性化を図って足指の蹴りだし力を増大させ、身体のバランスを安定化させ得る。
【００１４】
のみならず本発明は、従来の矯正用靴下のようにリング状弾性伸縮部が足の周方向全体に対して締め付け力を作用させるものではないため、足の血行不良を抑制でき、冷え性やしもやけ等の症状を生じさせ難い利点がある。
【００１５】
又、靴下本体の足先部を、足指の一部の指を他の指と独立させて袋部に嵌入させるように構成したときは、靴下装着状態において靴下本体が周方向に回らないため、足裏側の弾性伸縮部及び足背側の弾性伸縮部が足の所定部分に常時正しく当接せしめられた状態が得られ、弾性伸縮部の補強効果が安定的に発揮されることとなる。
【実施例１】
【００１６】
図１〜７において本発明に係る靱帯補強靴下１は、全体が一連に編成されて足２の全部を覆う靴下本体３の、横中足靱帯５の足裏側に対応する部分６と、足根骨７の足背側に対応する部分８に、足の幅方向で見た引張抵抗力が他の部分より強い弾性伸縮部９，１０を配置した構成を有している。なお説明の便宜上、図４〜５においては、弾性伸縮部９、弾性伸縮部１０が存する部分を、実線の輪郭線の内部に斜線を付して示すと共に、図６〜７においては、両弾性伸縮部９，１０を散点を付して示している。
【００１７】
前記靴下本体３と前記弾性伸縮部９，１０は、本実施例においては、全体が一連に編成されたニット生地からなる。該靴下本体３は、図１〜４に示すように、足首１１の稍上方部位から足先部１２に亘って足２に装着される形態を有しており、その足先部１２は、親指１３を嵌入させる袋部１５と他の４本の指１６，１７，１９，２０の全体を嵌入させる袋部２１を有している。又前記弾性伸縮部９，１０は、弾力性の強い弾性糸やゴム糸等の編糸を用いて編成されており、両弾性伸縮部９，１０の足の幅方向で見た引張抵抗力は略等しく設定されている。
【００１８】
又前記足裏側の弾性伸縮部９は、図４〜６に示すように、足２の第１中足骨２２、第２中足骨２３、第３中足骨２５、第４中足骨２６、第５中足骨２７の足裏側に対応する部分（従って足背側に対応する部分２９は除かれる）６であって、中足指節関節３０の中足骨側から踵側に向けて４０ｍｍ程度の幅で配置されており、本実施例においては、図２〜３、図５〜６に示すように、該足裏側の弾性伸縮部９の内外の両端部分３１，３２は、足の内外の側部分３３，３５の略下半分３３ａ，３５ａを覆うように延長されている。
【００１９】
又、前記足背側の弾性伸縮部１０は、本実施例においては図４〜５、図７に示すように、足根骨７の内の立方骨３６、楔状骨３７（内側楔状骨３７ａ、中間楔状骨３７ｂ、外側楔状骨３７ｃ）、舟状骨３８の、足背側に対応する部分（従って足裏側に対応する部分４０は除かれる）８に配置されている。該弾性伸縮部１０の足の長さ方向の幅は、本実施例においては４０ｍｍ程度に設定されており、立方骨３６と舟状骨３８の踵側の部分は完全には覆われておらず、第１中足骨〜第５中足骨２２，２３，２５，２６，２７の、リスフラン関節部４１部分乃至その近傍部分４２をも覆うように配置されている。そして図５、図７に示すように、足背側の弾性伸縮部１０の内外の両端部分４３，４５は、足の内外の側部分３３，３５の略上半分３３ｂ，３５ｂを覆うように延長されている。
【００２０】
本発明に係る靱帯補強靴下１によるときは、前記足裏側の弾性伸縮部９による弾性収縮作用によって、緩んだ横中足靱帯５を補強できる。このように足裏側の弾性伸縮部９が弾性収縮すると、横中足靱帯５の足背側に対応する部分２９（図６）には弾性伸縮部が配置されていないために、該弾性伸縮部９による締め付けによって足根骨７の関節が拡がり、足根骨７の足背側靱帯群（足背側に存する靱帯の総称）４６が部分的に緩み傾向となる。前記足背側の弾性伸縮部１０は、弾性伸縮部９の締め付けによって足根骨の関節が拡がるのを抑制すると共に、緩んだ足背側靱帯群４６を補強するようにも作用する。この補強作用によって、崩れた足の横アーチ及び縦アーチを回復させて足の正常な機能を回復させることができる。
【００２１】
このように、横アーチの維持に直接関係する前記横中足靱帯５、及び、縦アーチの維持に直接関係する前記足背側靱帯群４６を補強することによって、横アーチと縦アーチを略正常状態に保ち得ることとなる。その結果、機能低下を起こした足指の活性化を図り、足指の蹴りだし力を増大させることができる。
【００２２】
又、前記のように足裏側の弾性伸縮部９が、横中足靱帯５の足裏側に対応する部分に設けられていてその足背側には設けられておらず、前記足背側の弾性伸縮部１０が、足根骨の足背側に対応する部分に設けられていてその足裏側には設けられていないことから、足の周方向全体に亘って足を拘束する従来の補強用靴下とは異なり、足の血行不良を生じさせることはなく、従って、冷え性やしもやけ等の症状を生じさせにくい。
【００２３】
なお、足の周方向全体を締め付けることに伴う血行不良を改善するだけであるならば、前記とは逆に、横中足靱帯の足背側に対応する部分に弾性伸縮部を配置すると共に、足根骨の足裏側に対応する部分に弾性伸縮部を配置してもよいと考えられないではない。しかしながら、このように構成した場合は、却って横中足靱帯５を緩めると共に足根骨の足背側靱帯群４６を緩める結果を招き、横アーチや縦アーチを消失させかねず、横アーチと縦アーチを回復させるという本発明の目的に逆行する結果を招いてしまう。このようなことに鑑み本発明は、足の横アーチと縦アーチの回復を達成しながら足の血行不良を防止する手段として、弾性伸縮部９，１０を、横中足靱帯５の足裏側に対応する部分６と足根骨７の足背側に対応する部分８に配置する構成を採用したのであり、この点が本発明の大きな特徴となっている。
【００２４】
本実施例においては前記足裏側の弾性伸縮部９の両端部分３１，３２を、足の内外の側部分の略下半分３３ａ，３５ａを覆うように延長させると共に、足背側の弾性伸縮部１０の両端部分４３，４５を、足の内外の側部分の略上半分３３ｂ，３５ｂを覆うように延長させているため、前記足裏側の弾性伸縮部９が足の下半分を包むように弾性収縮し、横中足靱帯５をより効果的に補強できると共に、前記足背側の弾性伸縮部１０が足の上半分を包むように弾性収縮するため、足根骨の足背側靱帯群４６をより効果的に補強できることとなる。
【００２５】
図８〜９及び図１０〜１１は、本発明に係る靱帯補強靴下１の他の態様を示すものである。図８〜９に示す靱帯補強靴下１にあっては、前記弾性伸縮部９，１０の両端部分４７，４９、５０，５１を、足の内外の側部分３３，３５の全体を覆うように延長させている。又図１０〜１１に示す靱帯補強靴下１にあっては、足裏側の弾性伸縮部９の両端５２，５３が足裏側の両端に位置し、又足背側の弾性伸縮部１０の両端５５，５６が、足背側の両端に位置するようになされている。
【００２６】
これらの各実施例においては、前記のように、靴下本体３の足先部１２を、親指を嵌入させる袋部１５と他の４本の指１６，１７，１９，２０の全体を嵌入させる袋部２１を有する如く構成しているため、靴下装着状態において靱帯補強靴下１が周方向に回らない。従って、足裏側の弾性伸縮部９及び足背側の弾性伸縮部１０が足の所定部分に常時正しく当接せしめられた状態が得られ、弾性伸縮部９，１０の補強効果が安定的に発揮されることとなる。
【実施例２】
【００２７】
本発明は、前記実施例で示したものに限定されるものでは決してなく、「特許請求の範囲」の記載内で種々の設計変更が可能であることはいうまでもない。その一例を挙げれば次のようである。
【００２８】
(1) 図１２〜１４は、本発明に係る靱帯補強靴下１の他の実施例を示すものであり、これらの図において、足裏側の弾性伸縮部９及び足背側の弾性伸縮部１０は、説明の便宜上、実線の輪郭線の内部に斜線を付して示している。。
図１２に示す弾性伸縮部９は、横中足靱帯５の足裏側にほぼ限る状態で配置されており、足の長さ方向で見て１０〜１５ｍｍ程度の小幅に形成されている。又、足背側の弾性伸縮部１０は、足根骨７の内の立方骨３６の中間部分と、内側楔状骨３７ａ、中間楔状骨３７ｂ、外側楔状骨３７ｃの踵側の部分及び舟状骨３８の足先側の部分に限る状態で１０〜１５ｍｍの小幅で配置されている。
また図１３に示す靱帯補強靴下１においては、足裏側の弾性伸縮部９は、中足指節関節３０の中足骨側から踵側に向けて４０ｍｍ程度の幅で配置されており、又、足背側の弾性伸縮部１０は、足根骨７の内の立方骨３６の全体、内側楔状骨３７ａの略全体、中間楔状骨３７ｂの全体、外側楔状骨３７ｃの全体、舟状骨３８の全体、距骨５７の足先側の略半分、踵骨５９の足先側の部分の、足背側に対応する部分８に広幅で配置されている。
又図１４に示す靱帯補強靴下１にあっては、足裏側の弾性伸縮部９が、中足指節関節３０の中足骨側から踵側に向けて４０ｍｍ程度の幅で配置されており、又、足背側の弾性伸縮部１０は、足根骨７の内の立方骨３６の全体、内側楔状骨３７ａ、中間楔状骨３７ｂ、外側楔状骨３７ｃの、足先側部分を除く略全体、舟状骨３８の全体、距骨５７の足先側の部分、踵骨５９の足先側の極一部の、足背側に対応する部分８に広幅で配置されている。
【００２９】
(2) 図１５は本発明に係る靱帯補強靴下１のその他の実施例を示すものであり、既成靴下としての靴下本体３に、弾性伸縮片６０をその伸縮方向を足の幅方向にして接着や縫着等により固定することによって、足裏側の弾性伸縮部９及び足背側の弾性伸縮部１０が構成されている。該両弾性伸縮部９，１０の寸法や配置状態は、前記各実施例で示したと同様に設定できる。
【００３０】
(3) 本発明に係る靱帯補強靴下１を構成する靴下本体３は、足袋等の伸縮性を有さないものとして構成されることもある。又、足の５本の指の全体を嵌入させる袋部を有したものとして構成されることがある。
【００３１】
(4) 本発明に係る靱帯補強靴下１を構成する靴下本体３は、足指の一部の指等の足の一部分を露出させる構成のものであってもよい。
【００３２】
(5) 足に装着した靱帯補強靴下１が周方向に回らないようにするために、足指の一部の指を他の指と独立させて袋部に嵌入させる場合は、親指と小指と他の３本の指を夫々別個の袋部に嵌入させる等、各種態様に構成できる。
【図面の簡単な説明】
【００３３】
【図１】本発明に係る靱帯補強靴下をその着用状態で示す斜視図である。
【図２】本発明に係る靱帯補強靴下をその着用状態で示す斜視図である。
【図３】その着用状態を示す側面図である。
【図４】その着用状態を足の骨格と共に示す平面図である。
【図５】その着用状態を足の骨格と共に示す側面図である。
【図６】足裏側の弾性伸縮部の配置状態を示す断面図である。
【図７】足背側の弾性伸縮部の配置状態を示す断面図である。
【図８】足裏側の弾性伸縮部の他の配置状態を示す断面図である。
【図９】足背側の弾性伸縮部の他の配置状態を示す断面図である。
【図１０】足裏側の弾性伸縮部のその他の配置状態を示す断面図である。
【図１１】足背側の弾性伸縮部のその他の配置状態を示す断面図である。
【図１２】本発明に係る靱帯補強靴下のその他の実施例を、その着用状態で、足の骨格と共に示す平面図である。
【図１３】本発明に係る靱帯補強靴下のその他の実施例を、その着用状態で、足の骨格と共に示す平面図である。
【図１４】本発明に係る靱帯補強靴下のその他の実施例を、その着用状態で、足の骨格と共に示す平面図である。
【図１５】本発明に係る靱帯補強靴下のその他の実施例を、その着用状態で示す斜視図である。
【符号の説明】
【００３４】
１  靱帯補強靴下
２  足
３  靴下本体
５  横中足靱帯
７  足根骨
９  足裏側の弾性伸縮部
１０  足背側の弾性伸縮部
３１  弾性伸縮部の端部分
３２  弾性伸縮部の端部分
４６  足背側の靱帯群
【図１】
2005312512.tif 000003
【図２】
2005312512.tif 000004
【図３】
2005312512.tif 000005
【図４】
2005312512.tif 000006
【図５】
2005312512.tif 000007
【図６】
2005312512.tif 000008
【図７】
2005312512.tif 000009
【図８】
2005312512.tif 000010
【図９】
2005312512.tif 000011
【図１０】
2005312512.tif 000012
【図１１】
2005312512.tif 000013
【図１２】
2005312512.tif 000014
【図１３】
2005312512.tif 000015
【図１４】
2005312512.tif 000016
【図１５】
2005312512.tif 000017